(57)【要約】【課題】マンホールへの嵌脱作業を簡単に行なうことができるし、上蓋上に融雪水や雨水が滞留することがなく、かつ嵌脱作業時に断熱性閉塞体が路面等に擦れて損傷するのを確実に防止することができる。【解決手段】マンホール１に嵌合支持される鋳鉄製の上蓋２の下面側に下蓋３が取着してある。下蓋３を構成する一対の断熱性閉塞体４、５は発泡ウレタン材を半円形平板に成形したものからなる。上蓋２との間に空隙Ａを存して断熱性閉塞体４、５を上蓋２に支持する環状枠体６は、断熱性閉塞体４、５の厚さＷ１　より縦幅Ｗ２　を大きく設定してあり、下端側は下方に突出して保護枠部６Ａ１　になっている。環状枠体６に設けた一対の弾性支持片８、８によって断熱性閉塞体４、５は逆ハ字状に開閉可能に支持してある。【選択図】　図１
2004108001.tif 000002
【特許請求の範囲】
【請求項１】
マンホールに嵌合支持される上蓋と、該上蓋に取着され、前記マンホール内に挿嵌される下蓋とからなり、該下蓋は前記マンホール内を上側と下側に遮断する一対の断熱性閉塞体と、前記マンホールの内径より若干小径に形成した環体からなり、該一対の断熱性閉塞体を前記上蓋との間に空隙を形成した状態で支持すべく該上蓋に取着される環状枠体と、該環状枠体に設けられ、前記一対の断熱性閉塞体を下方に開閉可能に支持する弾性支持片とから構成してなる断熱・防臭型マンホール蓋構造体。
【請求項２】
前記環状枠体は、前記一対の断熱性閉塞体の厚さより縦幅を大きく設定することにより、該一対の断熱性閉塞体の下面より下方に突出する下端側を保護枠部としてあることを特徴とする請求項１記載の断熱・防臭型マンホール蓋構造体。
【請求項３】
前記環状枠体に、前記一対の断熱性閉塞体を常時は閉塞状態に保持する環状規制体を設けてあることを特徴とする請求項１記載の断熱・防臭型マンホール蓋構造体。
【発明の詳細な説明】
【０００１】
【産業上の利用分野】
本発明は、生活排水等の暖気がマンホールの蓋体上の積雪を融解して積雪路面に穴を形成したり、異臭が地上に漏洩するのを防止する断熱・防臭型マンホール蓋構造体に関する。
【０００２】
【従来の技術】
降雪地の道路は幹線道路を除いては降雪の度毎に除雪作業を行う訳ではないため、路面には人や車両の通行によって次第に雪が固く堆積した状態になる。他方、日常生活において給湯装置や暖房装置が普及したことに伴って暖かい生活排水が大量に下水道に排出されることから、マンホールの蓋体が暖気によって暖められて蓋体上の積雪だけが融解して積雪路面に大きな穴が形成される現象が生じている。この融雪穴は真冬には深さ２０〜３０ｃｍにもなるため、歩行者がこの穴に足を取られて捻挫したり、骨折する原因になっている。また、走行中の車両が融雪穴に車輪を落してハンドルを取られて交通事故を起したり、緩衝装置を破損する事故を招いている。
【０００３】
また、季節に関係なく下水道には様々な廃棄物が投棄されているために異臭が発生しているが、この異臭がマンホール内を上昇して地上に漏出し、周囲の環境を汚染するという問題もある。
【０００４】
【発明が解決しようとする課題】
そこで、近年マンホールの蓋体の融雪現象を防止する対策が検討されており、例えば蓋体の裏面に断熱材を取り付けて蓋体の加温を抑制する方法等が提案されているが、蓋上に融雪水や雨水が滞留するという欠点がある。そこで、本件出願の発明者は先に特願平１０−３２１４５１号により、拡縮径可能に構成した環状枠体に断熱性閉塞体を上下動可能に支持させた構成のマンホール用断熱・防臭装置を提案した。また、特願平１１−３６９６３１号により、拡縮径可能に構成した環状枠体に２分割した断熱性閉塞体を逆ハ字状に開放可能に設けたマンホール用断熱・防臭装置を提案した。これら出願発明は断熱・防臭に優れた効果を発揮するが、マンホールの鉄蓋と別構成であるため、マンホール内に設置する場合作業員が路面に腹ばいになって作業を行わなければならない、拡縮径可能な環状枠体をマンホール内壁面に強固に設置する作業が面倒であるという未解決の問題点がある。
【０００５】
本発明は上述した従来技術の未解決の問題点に鑑みなされたもので、マンホール内の上下の断熱性に優れており、マンホールへの嵌脱作業を簡単に行うことができるし、鉄蓋上に融雪水や雨水が滞留することがなく、かつ嵌脱作業時に断熱材が損傷したりするのを確実に防止することができる断熱・防臭型マンホール蓋構造体を提供することを目的とする。
【０００６】
【課題を解決するための手段】
上述した課題を解決するために構成された本発明の手段は、マンホールに嵌合支持される上蓋と、該上蓋に取着され、前記マンホール内に挿嵌される下蓋とからなり、該下蓋は前記マンホール内を上側と下側に遮断する一対の断熱性閉塞体と、前記マンホールの内径より若干小径に形成した環体からなり、該一対の断熱性閉塞体を前記上蓋との間に空隙を形成した状態で支持すべく該上蓋に取着される環状枠体と、該環状枠体に設けられ、前記一対の断熱性閉塞体を下方に開閉可能に支持する弾性支持片とからなる。
【０００７】
そして、前記環状枠体は、前記一対の断熱性閉塞体の厚さより縦幅を大きく設定することにより、該一対の断熱性閉塞体の下面より下方に突出する下端側を保護枠部とする構成にするとよい。
【０００８】
また、前記環状枠体に、前記一対の断熱性閉塞体を常時は閉塞状態に保持する環状規制体を設けた構成にするとよい。
【０００９】
【発明の実施の形態】
以下、本発明の実施の形態を図面に基づき詳述する。図において、１はコンクリート製円筒体からなる公知のマンホールを示し、該マンホール１は下端側が排水暗渠に連通し、上端側の開口部１Ａは拡径して環状段部１Ｂが形成してある。
【００１０】
２は前記マンホール１の開口部１Ａに嵌脱可能に嵌合され、環状段部１Ｂに支持される鋳鉄製の上蓋で、該上蓋２は外周に係合段部２Ａが形成された公知の形状からなるが、裏面２Ｂの外周側には周方向に９０度離間して４個のボルト穴２Ｃ、２Ｃ、・・が穿設してある。
【００１１】
３は前記上蓋２の裏面２Ｂに取着され、マンホール１内に挿嵌される下蓋を示す。４、５は該下蓋３を構成し、マンホール１内を上側と下側に遮断する一対の断熱性閉塞体を示す。該断熱性閉塞体４、５は厚さがＷ１　からなり、後述する環状枠体６に嵌合する半円形平板に形成したものからなり、一側閉塞板４の先端側には下向きの段部４Ａ、他側閉塞板５の先端側には該下向き段部４Ａと衝合する上向き段部５Ａが形成してある。そして、断熱性閉塞体４、５は例えば発泡ウレタン等のように軽量で、断熱性及び耐水性のある材料によって成形してある。
【００１２】
６は下蓋３を構成し、前記断熱性閉塞体４、５を上蓋２に支持するためのステンレススチール製の環状枠体で、該環状枠体６は直径をマンホール１の内径より若干小径に設定し、縦幅Ｗ２　を断熱性閉塞体４、５の厚さＷ１　より大きく設定した円筒部６Ａと、該円筒部６Ａの上縁に周方向に９０度離間して上方に突出形成した逆Ｌ字状の４個の取付片６Ｂ、６Ｂ、・・とから構成してある。そして、該各取付片６Ｂに挿通した取付ボルト７を上蓋２のボルト穴２Ｃに螺着して環状枠体６を上蓋２に取着することにより、下蓋３は上蓋２に一体化されると共に、断熱性閉塞体４、５と上蓋２の裏面２Ｂとの間には空隙Ａが形成されている。
【００１３】
ここで、環状枠体６は縦幅Ｗ２　を断熱性閉塞体４、５の厚さＷ１　より大きく設定し、円筒部６Ａの下端側を断熱性閉塞体４、５の下面４Ｂ、５Ｂより下方に突出させて保護枠部６Ａ１　としてある。これは、鋳鉄製の上蓋２は重量が約２０ｋｇはある重量物であるため、マンホール１を開閉する際に発泡ウレタン等の軟質材からなる断熱性閉塞体４、５が開口部１Ａや地面に擦って損傷したり、損壊するのを確実に防止するためである。
【００１４】
また、上蓋２の裏面２Ｂと断熱性閉塞体４、５との間に空隙Ａを形成してあるのは、空隙Ａの空気層により断熱・防臭効果を高めることや、融雪水や雨水が流入するスペースを設けることにより路面上に溜水するのを解消すると共に、滞留水により断熱・防臭作用を図ることにある。
【００１５】
８、８は前記一対の断熱性閉塞体４、５を下方に開閉可能に支持すべく環状枠体６との間に連結されたばね板からなる一対の弾性支持片を示す。該各弾性支持片８は断熱性閉塞体４、５の下面４Ｂ、５Ｂに着接する支持部８Ａと、該支持部８Ａから側方に突出して略く字状に屈曲し、環状枠体６の下端側にねじ止めされる取着部８Ｂとから形成してある。なお、弾性支持片８、８のばね力は断熱性閉塞体４、５上に滞留させる水量を勘案して適宜設定してある。
【００１６】
９、９は該弾性支持片８を断熱性閉塞体４、５に取着するためのステンレススチール製の一対の取着具で、該各取着具９は断熱性閉塞体４、５の上面４Ｃ、５Ｃに着接する基板９Ａと、該基板９Ａに植設された３本の挿通ピン９Ｂ、９Ｂ、９Ｂとから構成してあり、挿通ピン９Ｂ、９Ｂ、９Ｂを断熱性閉塞体４（５）に挿通し、弾性支持片８の支持部８Ａに挿着することにより、断熱性閉塞体４、５は環状枠体６に下方向に開閉可能に支持されている。
【００１７】
１０は断熱性閉塞体４、５が衝合してマンホール１を閉塞した状態に保持するための環状規制体で、該環状規制体１０は環状枠体６に溶接、鋲止め等の適宜の固着手段で固着される環状固定部１０Ａと、該環状固定部１０Ａから内向きに張り出し、断熱性閉塞体４、５が当接する環状受け部１０Ｂとをステンレススチールにより断面略Ｌ字状に一体に形成したものからなっている。
【００１８】
本実施の形態に係る断熱・防臭型マンホール蓋構造体は上述した如くであって、下蓋３は上蓋２と一体化してあるからマンホール１に嵌合する作業及び取外す作業を一回で終わらせることができるし、下蓋３がマンホール１から離脱して落下することがない。また、下蓋３と上蓋２との間に形成した空隙Ａにより、空気層が断熱効果を発揮するし、融雪水や雨水を上蓋２上に滞留させることなく下方に排出させることができる。しかも、下蓋３上の滞留水が断熱・防臭作用に寄与することができる。
【００１９】
下蓋３上の滞留水の量が増加すると弾性支持片８、８が撓み、断熱性閉塞体４、５は図１中の破線で示すように逆ハ字状に開放して滞留水を下方に落下させる。そして、断熱性閉塞体４、５は弾性支持片８、８のばね力により自動復帰して環状規制体１０に当接することによりマンホール１内を閉塞状態にする。また、環状枠体６の保護枠部６Ａ１　が断熱性閉塞体４、５を囲繞しているから、開閉時に断熱性閉塞体４、５が路面や開口部１Ａに擦れて損傷したり、損壊する事態を確実に防止することができる。
【００２０】
なお、本発明において既存の上蓋２である鉄蓋にボルト穴２Ｃ、２Ｃ、・・を穿孔し、下蓋３を取付ボルト７、７、・・で取着するようにしてもよい。
【００２１】
【発明の効果】
本発明は以上詳述した如く構成したから、下記の諸効果を奏する。
（１）上蓋と下蓋は一体化してあるので、マンホール内の点検時には上蓋を外すだけでよく、マンホールの開閉作業を短時間で容易に行うことができるし、マンホール内の広い視野が得られる。
（２）下蓋の一対の断熱性閉塞体と上蓋との間に空隙を形成したから、融雪水や雨水が路面上に滞留させることなく速やかに排出することができるし、空隙の空気層により断熱効果を高めることができる。
（３）環状枠体は、下端側を一対の断熱性閉塞体の下面より下方に突出させて保護枠部にしてあるから、マンホールの開閉作業時に断熱性閉塞体が路面や開口部に擦れて損傷したり損壊する事態を確実に防止できる。
（４）環状枠体に環状規制体を設けたから、一対の断熱性閉塞体を弾性支持片の弾性力に抗して常時は閉塞状態に確実に保持することができる。
【図面の簡単な説明】
【図１】本発明の実施の形態に係る断熱・防臭型マンホール蓋構造体の縦断面図である。
【図２】断熱・防臭型マンホール蓋構造体を構成する下蓋の平面図である。
【図３】断熱・防臭型マンホール蓋構造体の底面図である。
【符号の説明】
１　　　　マンホール
２　　　　上蓋
３　　　　下蓋
４、５　　断熱性閉塞体
６　　　　環状枠体
６Ａ１　　　保護枠部
８　　　　弾性支持片
１０　　　環状規制体
Ａ　　　　空隙
【図１】
2004108001.tif 000003
【図２】
2004108001.tif 000004
【図３】
2004108001.tif 000005